(57)【要約】【課題】  本発明は、栽培容器に植えられた植物の根に酸素を供給することができる栽培装置を提供する。また、本発明は、植物の根に酸素を供給することができる酸素供給体を提供する。【解決手段】  栽培装置１０は、植物を栽培するための栽培装置である。栽培装置１０は、培地３０が充填され、培地３０に植物６０が２列に植えられる栽培容器２０と、２列の植物６０の間に配置され、培地３０に底部４２が埋設される酸素供給体４０と、を含む。酸素供給体４０は、底部４２に酸素供給体４０の内部と培地３０とを連通する貫通孔４２０と、酸素供給体４０の内部へ酸素を供給する供給口４６と、を含む。供給口４６から貫通孔４２０を介して培地３０へ酸素を供給可能としている。【選択図】図５
2018139541.tif 000002
【特許請求の範囲】
【請求項１】
植物を栽培するための栽培装置であって、
培地が充填され、前記培地に植物が２列に植えられる栽培容器と、
２列の植物の間に配置され、前記培地に底部が埋設される酸素供給体と、
を含み、
前記酸素供給体は、前記底部に前記酸素供給体の内部と前記培地とを連通する貫通孔と、前記酸素供給体の内部へ酸素を供給する供給口と、を含み、
前記供給口から前記貫通孔を介して前記培地へ酸素を供給可能としたことを特徴とする、栽培装置。
【請求項２】
請求項１において、
前記酸素供給体は、前記栽培容器の長手方向に沿って配置され、
前記酸素供給体は、前記内部を長手方向で仕切る仕切板を含み、
前記仕切板の下端は前記底部に達し、前記供給口から供給された酸素が前記培地と前記内部とを介して前記栽培容器の長手方向に移動することを特徴とする、栽培装置。
【請求項３】
請求項１または２において、
前記栽培容器の長手方向に沿って配置された潅水チューブをさらに含み、
前記酸素供給体は、前記潅水チューブの両側に下方に向かって間隔が広がる２つの傾斜面を有し、
前記傾斜面は、少なくとも一部が前記培地内に配置され、
前記潅水チューブの水を前記傾斜面に沿って前記酸素供給体の両側にある前記培地に供給可能としたことを特徴とする、栽培装置。
【請求項４】
請求項１〜３のいずれか１項において、
前記供給口は、加熱または冷却された酸素を前記内部に供給し、前記栽培容器内の温度を調節することを特徴とする、栽培装置。
【請求項５】
栽培容器の培地に酸素を供給する酸素供給体であって、
前記栽培容器の長手方向に沿って配置される中空の胴部と、
前記胴部の下面に設けられた底部と、
前記胴部に開口し、前記胴部に酸素を送り込む供給口と、
を含み、
前記底部は、複数の貫通孔を有し、
前記貫通孔は、前記酸素供給体が前記培地に設置された際に、前記胴部の内部と前記培地とを連通し、前記供給口から前記貫通孔を介して前記培地へ酸素を供給可能であることを特徴とする、酸素供給体。
【発明の詳細な説明】
【技術分野】
【０００１】
本発明は、植物を栽培するための栽培装置及び植物に酸素を供給するための酸素供給体に関する。
【背景技術】
【０００２】
従来、苺、葉物野菜、花卉、根菜類などの植物を栽培するに際し、高設栽培装置が用いられている（特許文献１）。高設栽培装置は、例えば、ビニールハウス内での植物の栽培に採用される。
【０００３】
高設栽培装置は、地面で栽培する土耕栽培に比べて、中腰やしゃがんだ姿勢での作業が減るため、作業者の労働環境を改善することができる。また、高設栽培装置は、地面と植物とが隔離されているため、病虫害が少ないという利点もある。
【０００４】
一方で、高設栽培装置は、細長い容器の中に培地を入れて植物を植えるため、培地の体積が小さく、周辺温度変化の影響を受けやすいという側面がある。
【０００５】
特許文献１の高設栽培装置は、覆土カバーに給水管を施設するための凹部と、水を培地へ誘導する導水斜面とを設けて均等な給水をすることを提案している。給水管からは、水だけでなく、養液の供給も行われるのが高設栽培装置では一般的である。しかしながら、体積の小さい培地への酸素の供給については提案されていない。
【先行技術文献】
【特許文献】
【０００６】
【特許文献１】特開平１０−３０９１３３号公報
【発明の概要】
【発明が解決しようとする課題】
【０００７】
本発明は、栽培容器に植えられた植物の根の周囲の培地に酸素を供給することができる栽培装置を提供することを目的とする。また、本発明は、植物の根の周囲の培地に酸素を供給することができる酸素供給体を提供することを目的とする。
【課題を解決するための手段】
【０００８】
本発明は上述の課題の少なくとも一部を解決するためになされたものであり、以下の態様または適用例として実現することができる。
【０００９】
［適用例１］
本適用例に係る栽培装置は、
植物を栽培するための栽培装置であって、
培地が充填され、前記培地に植物が２列に植えられる栽培容器と、
２列の植物の間に配置され、前記培地に底部が埋設される酸素供給体と、
を含み、
前記酸素供給体は、前記底部に前記酸素供給体の内部と前記培地とを連通する貫通孔と、前記酸素供給体の内部へ酸素を供給する供給口と、を含み、
前記供給口から前記貫通孔を介して前記培地へ酸素を供給可能としたことを特徴とする。
【００１０】
本適用例に係る栽培装置によれば、酸素供給体から栽培容器に植えられた植物の根の周
囲の培地に酸素を供給することができる。
【００１１】
［適用例２］
本適用例に係る栽培装置において、
前記酸素供給体は、前記栽培容器の長手方向に沿って配置され、
前記酸素供給体は、前記内部を長手方向で仕切る仕切板を含み、
前記仕切板の下端は前記底部に達し、前記供給口から供給された酸素が前記培地と前記内部とを介して前記栽培容器の長手方向に移動することができる。
【００１２】
本適用例に係る栽培装置によれば、仕切板によって酸素供給体から培地を経由しながら酸素が栽培容器の長手方向に移動して、栽培されている植物の根の周囲の培地に酸素を供給することができる。
【００１３】
［適用例３］
本適用例に係る栽培装置において、
前記栽培容器の長手方向に沿って配置された潅水チューブをさらに含み、
前記酸素供給体は、前記潅水チューブの両側に下方に向かって間隔が広がる２つの傾斜面を有し、
前記傾斜面は、少なくとも一部が前記培地内に配置され、
前記潅水チューブの水を前記傾斜面に沿って前記酸素供給体の両側にある前記培地に供給可能としたことができる。
【００１４】
本適用例に係る栽培装置によれば、潅水チューブから供給された水を傾斜面によって両側にある培地に供給できる。また、両側の培地には２列の植物があるため、水が２列の植物の根に向かって流れるように供給される。
【００１５】
［適用例４］
本適用例に係る栽培装置において、
前記供給口は、加熱または冷却された酸素を前記内部に供給し、前記栽培容器内の温度を調節することができる。
【００１６】
本適用例に係る栽培装置によれば、培地内の温度を加熱または冷却することにより、体積の小さな培地であっても周辺温度変化の影響を受けにくくすることができる。
【００１７】
［適用例５］
本適用例に係る酸素供給体は、
栽培容器の培地に酸素を供給する酸素供給体であって、
前記栽培容器の長手方向に沿って配置される中空の胴部と、
前記胴部の下面に設けられた底部と、
前記胴部に開口し、前記胴部に酸素を送り込む供給口と、
を含み、
前記底部は、複数の貫通孔を有し、
前記貫通孔は、前記酸素供給体が前記培地に設置された際に、前記胴部の内部と前記培地とを連通し、前記供給口から前記貫通孔を介して前記培地へ酸素を供給可能であることを特徴とする。
【００１８】
本適用例に係る酸素供給体によれば、栽培容器内の培地で栽培される植物の根の周囲の培地に酸素を供給することができる。
【発明の効果】
【００１９】
本発明に係る栽培装置によれば、栽培容器に植えられた植物の根の周囲の培地に酸素を供給することができる。また、本発明に係る酸素供給体によれば、植物の根の周囲の培地に酸素を供給することができる。
【図面の簡単な説明】
【００２０】
【図１】一実施形態に係る酸素供給体の正面図である。
【図２】図１の酸素供給体のＡ−Ａ断面図である。
【図３】一実施形態に係る酸素供給体の側面図である。
【図４】一実施形態に係る酸素供給体の底面図である。
【図５】一実施形態に係る栽培装置の図６におけるＣ−Ｃ断面図である。
【図６】図５の栽培装置のＢ−Ｂ断面図である。
【図７】変形例１に係る酸素供給体の正面図である。
【図８】変形例２に係る酸素供給体の正面図である。
【図９】変形例３に係る酸素供給体のＡ−Ａ断面図である。
【図１０】変形例４に係る栽培装置のＣ−Ｃ縦断面図である。
【発明を実施するための形態】
【００２１】
以下、本発明の好適な実施形態について、図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００２２】
本実施形態に係る栽培装置は、植物を栽培するための栽培装置であって、培地が充填され、前記培地に植物が２列に植えられる栽培容器と、２列の植物の間に配置され、前記培地に底部が埋設される酸素供給体と、を含み、前記酸素供給体は、前記底部に前記酸素供給体の内部と前記培地とを連通する貫通孔と、前記酸素供給体の内部へ酸素を供給する供給口と、を含み、前記供給口から前記貫通孔を介して前記培地へ酸素を供給可能としたことを特徴とする。
【００２３】
また、本実施形態に係る酸素供給体は、栽培容器の培地に酸素を供給する酸素供給体であって、前記栽培容器の長手方向に沿って配置される中空の胴部と、前記胴部の下面に設けられた底部と、前記胴部に開口し、前記胴部に酸素を送り込む供給口と、を含み、前記底部は、複数の貫通孔を有し、前記貫通孔は、前記酸素供給体が前記培地に設置された際に、前記胴部の内部と前記培地とを連通し、前記供給口から前記貫通孔を介して前記培地へ酸素を供給可能であることを特徴とする。
【００２４】
１．酸素供給体
図１〜図６を用いて酸素供給体４０について説明する。図１は一実施形態に係る酸素供給体４０の正面図であり、図２は図１の酸素供給体４０のＡ−Ａ断面図であり、図３は一実施形態に係る酸素供給体４０の側面図であり、図４は一実施形態に係る酸素供給体４０の底面図である。また、図５は一実施形態に係る栽培装置１０の図６におけるＣ−Ｃ断面図であり、図６は図５の栽培装置１０のＢ−Ｂ断面図である。なお、図１および図２では、酸素供給体４０に対する潅水チューブ５０の位置関係を明確にするため、潅水チューブ５０も図示している。
【００２５】
図１〜図６に示すように、酸素供給体４０は、後述する栽培容器２０（図５及び図６）の培地３０に酸素を供給するものであって、栽培容器２０の長手方向に沿って配置される中空の胴部４４と、胴部４４の下面に設けられた底部４２と、胴部４４に開口し、胴部４４に酸素を送り込む供給口４６と、を含む。
【００２６】
酸素供給体４０は、軽量のプラスチック製であることができる。加工が容易な金属製であってもよい。
【００２７】
１−１．胴部
胴部４４は、正面視が二等辺三角形の中空体である。胴部４４は、内部の空間に供給口４６から供給される酸素を充填することができる。
【００２８】
供給口４６は、胴部４４の長手方向の一方の端部４５に設けられる開口である。供給口４６から供給される酸素は、空気として供給することができる。供給口４６は、栽培装置１０の外部に設けられる図示しない酸素供給装置に接続される。供給口４６に供給される酸素（例えば空気）は、コンプレッサーで所定圧力まで加圧された状態で供給してもよい。
【００２９】
排出口４８は、胴部４４の長手方向の他方の端部４５に設けられる開口である。供給口４６から供給された酸素は、胴部４４から培地３０内を経由して排出口４８から排出される。排出口４８は、図示しない吸引装置に接続することで胴部４４の内部の酸素を吸引してもよい。
【００３０】
胴部４４は、内部を長手方向で仕切る仕切板４４０を含む。図３及び図４に破線で示すように、胴部４４の長手方向の３箇所に仕切板４４０を設け、胴部４４の内部空間を４つに区切っている。仕切板４４０の数は３箇所に限られない。また、例えば、仕切板４４０を設けず、短い酸素供給体４０を複数連結してもよい。
【００３１】
１−２．底部
底部４２は、複数の貫通孔４２０を有する。貫通孔４２０は、底部４２の長手方向に延びるスリット状の細長い孔である。貫通孔４２０の形状はスリット状に限らず、例えば、円形であってもよいし、網の目状であってもよい。貫通孔４２０は、酸素供給体４０が培地３０に設置された際に、胴部４４の内部と培地３０とを連通し、供給口４６から貫通孔４２０を介して培地３０へ酸素を供給可能である。
【００３２】
栽培容器２０内の培地３０は比較的小さな体積であるため、植物６０の根の呼吸による酸素の消費に対し、酸素供給体４０から必要量以上の酸素を供給することが植物の生育の点で望ましい。酸素供給体４０によれば、貫通孔４２０から栽培容器２０内の培地３０で栽培される植物６０の根の周囲の培地３０に酸素を供給することができる。
【００３３】
１−３．潅水チューブ
酸素供給体４０の上に潅水チューブ５０が配置されている。潅水チューブ５０は、酸素供給体４０とは別体に設けられ、図示しない位置で栽培容器２０の所定の位置に配置される。潅水チューブ５０は、例えばプラスチック製の管体である。
【００３４】
潅水チューブ５０は、左右の傾斜面４４２，４４４へ水（養液）を供給する潅水口５２を有する。潅水チューブ５０の中を通る水は、潅水口５２から傾斜面４４２，４４４へ水を適量流すことができる。潅水口５２は、傾斜面４４２，４４４に対し、潅水を点滴のように徐々に供給してもよい。
【００３５】
１−４．傾斜面
図１に示すように、傾斜面４４２，４４４は、潅水チューブ５０が配置された部分を頂点として下方に広がる二等辺三角形の等辺である。傾斜面４４２，４４４は、水を植物６０の根の周囲の培地３０に向けて導くことができればよいので、直線的な傾斜だけでなく、円弧状の面で一部または全部を形成してもよい。
【００３６】
傾斜面４４２，４４４の下端は底部４２へ接続する。底部４２は平坦であるため、傾斜面４４２，４４４を伝って流れた水は底部４２側ではなく、傾斜面４４２，４４４の下端から下方へ、すなわち、植物６０の根の付近に向かって浸透することができる。
【００３７】
２．栽培装置
図１〜図６を用いて、栽培装置１０について説明する。栽培装置１０は、植物６０を栽培するためのものである。栽培装置１０は、栽培容器２０と、酸素供給体４０と、を含む。
【００３８】
２−１．栽培容器
図５及び図６に示すように、栽培容器２０は、培地３０が充填され、培地３０に植物６０が２列に植えられる。植物６０が２列に植えられることで、生産性が向上し、収穫作業が容易となる。
【００３９】
栽培容器２０は、軽量なプラスチック製であり、例えば、発泡スチロール製であることができる。栽培容器２０は、細長い略矩形状の箱体であり、その長手方向に沿って複数の苗を植えることができる。栽培容器２０の上方は開放され、植物６０は上方へ成長する。
【００４０】
栽培容器２０の下端には排水口２２が設けられ、栽培容器２０の内部から排水口２２を通して排水を行う。栽培容器２０は、市販のものを採用することができる。
【００４１】
栽培容器２０は、架台１４によって地面から上方に離れた位置（例えば地上高８０ｃｍ）に配置される。作業性の向上及び病害虫被害の防止に効果がある。
【００４２】
２−２．培地
図５及び図６に示すように、栽培容器２０に充填される培地３０は、例えば、ロックウール、パーライト、バーミキュライト、珪藻土などの無機質培地、ヤシ殻、ピートモス、針葉樹の樹皮、モミガラなどの有機質培地が単用または混合されて利用できる。
【００４３】
培地３０には、潅水チューブ５０から水が供給される。潅水チューブ５０から供給される水には液体肥料が含まれてもよい。培地３０に使われる材料には養分が含まれていない場合があるからである。
【００４４】
２−３．潅水チューブ
図５及び図６に示すように、潅水チューブ５０は、栽培容器２０の幅方向の中心付近であって栽培容器２０の長手方向に沿って配置される。潅水チューブ５０の両側には、植物６０が２列で長手方向に沿って複数本植えられる。
【００４５】
潅水チューブ５０は、内部に液体（水及び液体肥料など）が流れるようになっており、所定間隔で開口する潅水口５２から液体が培地３０へ供給される。潅水口５２は、少量ずつ液体が外部へ染み出す点滴タイプであってもよい。
【００４６】
潅水チューブ５０は、硬質のプラスチック製であってもよいし、軟質のフィルム状のプラスチック製であってもよい。潅水チューブ５０としては、市販のものを採用することができる。
【００４７】
２−４．酸素供給体
図５及び図６に示すように、潅水チューブ５０の下方には、酸素供給体４０が配置される。
【００４８】
酸素供給体４０は、栽培容器２０の培地３０に植えられる２列の植物６０の間に配置される。酸素供給体４０は、培地３０に少なくとも底部４２が埋設される。図５及び図６では酸素供給体４０の全体が培地３０内に埋設されている。
【００４９】
酸素供給体４０としては、図１〜図４を用いて上記１で説明したものを用いることができる。酸素供給体４０は、底部４２に酸素供給体４０の内部と培地３０とを連通する貫通孔４２０と、酸素供給体４０の内部へ酸素を供給する供給口４６と、を含む。酸素供給体４０は、供給口４６から貫通孔４２０を介して培地３０へ酸素を供給可能（図５では破線の矢印で酸素の供給を示している）である。供給口４６へ供給される気体は、空気であってもよい。
【００５０】
栽培容器２０における培地３０の体積は比較てき小さく、植物６０の根が成長して培地３０全体に延びると、根の呼吸により根圏における酸素の不足が問題となる。栽培装置１０によれば、酸素供給体４０から栽培容器２０に植えられた植物６０の根の周囲の培地３０に酸素を供給することができ、根圏における酸素不足を防止できる。
【００５１】
また、根の呼吸により根圏における二酸化炭素過剰も問題となる。酸素供給体４０が栽培容器２０の長手方向に延びるように配置されることで、酸素の供給と共に、培地３０の二酸化炭素を酸素の移動と共に下流側へ移動させ、排出することができる。
【００５２】
酸素供給体４０は、栽培容器２０の長手方向に沿って配置され、内部を長手方向で仕切る仕切板４４０を含む。仕切板４４０の下端は底部４２に達し、供給口４６から供給された酸素が培地３０と内部とを介して栽培容器２０の長手方向に移動する。このように、仕切板４４０によって酸素供給体４０から培地３０を経由しながら酸素が栽培容器２０の長手方向に移動することで、栽培されている植物６０の根の周囲の培地３０に酸素を供給することができる。
【００５３】
仕切板４４０の下端は、例えば、底部４２との間に間隔を有していてもよい。その間隔で胴部４４の長手方向における酸素及び二酸化炭素の移動を許容することができる。
【００５４】
酸素供給体４０は、供給口４６が設けられた胴部４４の端部４５とは反対側の端部４５に排出口４８を有する。排出口４８は、図示しない吸引装置に接続され、胴部４４の内部の空気を吸引して酸素供給体４０の外部へ排出する。排出口４８の吸引によって、供給口４６から培地３０へ供給された酸素が、培地３０と胴部４４の内部とを底部４２の貫通孔４２０を介して排出口４８側へ移動することを促す。
【００５５】
図６に示すように、酸素供給体４０は、栽培容器２０の長手方向に沿って複数並べて配置してもよい。隣接する酸素供給体４０同士は、供給口４６と排出口４８とを例えばチューブで連結される。
【００５６】
供給口４６は、加熱または冷却された酸素を胴部４４の内部に供給し、栽培容器２０内の温度を調節することができる。これによって、体積の小さな培地３０における周辺温度変化の影響を低減することができる。酸素の加熱または冷却は、供給口４６に接続される図示しない酸素供給装置において行われる。
【００５７】
酸素供給体４０は、潅水チューブ５０の両側に下方に向かって間隔が広がる２つの傾斜面４４２，４４４を有する。傾斜面４４２，４４４は、少なくとも一部が培地３０内に配置される。図５及び図６では傾斜面４４２，４４４の全体が培地３０の内部に埋設されている。酸素供給体４０は、潅水チューブ５０の水を傾斜面４４２，４４４に沿って酸素供
給体４０の両側にある培地３０に供給可能である。したがって、潅水チューブ５０から供給された水を傾斜面４４２，４４４によって２列の植物６０の根に向かって流れるように供給することができる。
【００５８】
傾斜面４４２，４４４は、その下端が底部４２に接続しているため、特許文献１の中心側へ縮径するような傾斜面のように水が中心側へ流れることがない。傾斜面４４２，４４４の端部から下方に向かって、すなわち、根圏の付近の培地３０へ直接水を分配できる。
【００５９】
３．変形例１
図７を用いて変形例１に係る酸素供給体４０ａについて説明する。図７は、変形例１に係る酸素供給体４０ａの正面図である。酸素供給体４０ａの基本的な構成は上記１で説明した酸素供給体４０と同じであるので、重複する説明は省略する。
【００６０】
酸素供給体４０ａは、底部４２の幅方向の両端に、底部４２から下方に延びる２枚の垂下板４９を有する。垂下板４９は、酸素供給体４０ａの長手方向に沿って延びる１枚の板状体である。垂下板４９は、例えば、酸素供給体４０ａの長手方向で複数に分割されていてもよい。
【００６１】
垂下板４９は、傾斜面４４２，４４４の下端に配置される。垂下板４９によって、傾斜面４４２，４４４を流れる水が底部４２の下へ回り込むのを防止するためである。図５に示すように、植物６０は酸素供給体４０の側方に植えられるため、垂下板４９によって植物６０の根の付近に水を十分に供給できる。
【００６２】
垂下板４９は、底部４２の面に対して垂直に設けられる。垂下板４９の底部４２からの長さは１ｃｍ〜３ｃｍであることができる。垂下板４９の長さが１ｃｍ以上あれば底部４２への水の回り込みにくくなり、３ｃｍを超えると根の付近への酸素の供給及び植物６０の根の生育に影響があると考えられる。
【００６３】
４．変形例２
図８を用いて変形例２に係る酸素供給体４０ｂについて説明する。図８は、変形例２に係る酸素供給体４０ｂの正面図である。酸素供給体４０ｂの基本的な構成は上記１で説明した酸素供給体４０と同じであるので、重複する説明は省略する。
【００６４】
酸素供給体４０ｂは、胴部４４の頂部に支持体４４６を備える。支持体４４６は、胴部４４の頂部から上方に延びるように形成され、上端に湾曲部４４７を有する。湾曲部４４７は、上面に潅水チューブ５０が載置される。湾曲部４４７の形状は、必ずしも曲面で構成される必要はなく、所定の位置に潅水チューブ５０を保持できる形状であればよい。
【００６５】
支持体４４６を有することにより、潅水チューブ５０を胴部４４の中心に確実に配置することができるため、傾斜面４４２，４４４へ均等に水を振り分けることができる。
【００６６】
湾曲部４４７は、潅水チューブ５０の潅水口５２を閉塞しない範囲に設けられる。潅水口５２から傾斜面４４２，４４４へ水を直接滴下してもよいし、湾曲面４４７に溜めた水を傾斜面４４２，４４４へ滴下してもよい。
【００６７】
支持体４４６は、胴部４４の頂部から上方へ延びるように形成されたが、これに限らず、胴部４４の頂部に湾曲部４４７を直接設けてもよい。
【００６８】
５．変形例３
図９を用いて変形例３に係る酸素供給体４０ｃについて説明する。図９は、変形例３に
係る酸素供給体４０ｃのＡ−Ａ断面図である。酸素供給体４０ｃの基本的な構成は上記１で説明した酸素供給体４０と同じであるので、重複する説明は省略する。
【００６９】
酸素供給体４０ｃは、仕切板４４０に弁部４４１を有する。弁部４４１は、仕切板４４０を介して隣接する空間同士をつなぐ連通孔と弁体とからなる。弁部４４１は、供給口４６から胴部４４の内部に供給された酸素が圧縮されて所定の内圧以上になると機能して、酸素を隣接する空間へ排出することができる。具体的には、常態では弁体により連通孔を閉塞しているが、供給口４６側の内圧が所定の圧力を超えると、弁体が変形して連通孔が隣接する空間と連通する。
【００７０】
弁部４４１は、仕切板４４０のそれぞれに設けることができる。弁部４４１は、市販の逆止弁を採用することができる。
【００７１】
弁部４４１によって、培地３０を介して酸素を栽培容器２０の長手方向に送るだけでなく、仕切板４４０で仕切られたそれぞれの空間から酸素を直接培地へ供給することができる。
【００７２】
６．変形例４
図１０を用いて変形例４に係る栽培装置１０ａについて説明する。図１０は、変形例４に係る栽培装置１０ａのＣ−Ｃ縦断面図である。栽培装置１０ａの基本的な構成は上記２で説明した栽培装置１０と同じであるので、重複する説明は省略する。
【００７３】
栽培装置１０ａは、酸素供給体４０を培地３０に完全に埋設せず、底部４２と傾斜面４４２，４４４の下側の一部だけが培地３０に埋設される。栽培装置１０ａによれば、酸素供給体４０の埋設量を減らすことで、その分の培地３０を植物６０の根が張る領域として利用することができる。
【００７４】
酸素供給体４０は、少なくとも底部４２が培地３０に埋設されていることが好ましい。培地３０に酸素を直接供給することができるからである。
【００７５】
本発明は、上述した実施形態に限定されるものではなく、さらに種々の変形が可能である。例えば、本発明は、実施形態で説明した構成と実質的に同一の構成（例えば、機能、方法、及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【００７６】
１０…栽培装置、１０ａ…栽培装置、１４…架台、２０…栽培容器、２２…排水口、３０…培地、４０…酸素供給体、４０ａ…酸素供給体、４０ｂ…酸素供給体、４０ｃ…酸素供給体、４２…底部、４４…胴部、４５…端部、４６…供給口、４８…排出口、４９…垂下板、５０…潅水チューブ、５２…潅水口、６０…植物、４２０…貫通孔、４４０…仕切板、４４１…弁部、４４２，４４４…傾斜面、４４６…支持体、４４７…湾曲部
【図１】
2018139541.tif 000003
【図２】
2018139541.tif 000004
【図３】
2018139541.tif 000005
【図４】
2018139541.tif 000006
【図５】
2018139541.tif 000007
【図６】
2018139541.tif 000008
【図７】
2018139541.tif 000009
【図８】
2018139541.tif 000010
【図９】
2018139541.tif 000011
【図１０】
2018139541.tif 000012